(57)【要約】【課題】道路、広告看板や生産ラインなどに特に適用でき、光源からの光線を有効の照明光線に変換でき、電力を有効に利用できる異形反射マスク付き照明器具を提供する。【解決手段】光線を発生する光源と、異形反射マスクと、を少なくとも含み、異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、反射マスクの上面は、凹み上面であり、その一側は下方への傾斜角度が互いに異なる複数の一部円錐面を連接して構成される。【選択図】図４
2012054232.tif 000002
【特許請求の範囲】
【請求項１】
光線を発生する光源と、異形反射マスクと、を少なくとも含み、
前記異形反射マスクは、その内部に前記光源が設けられ、その裏面が反射面であり、２つの側面が膨らみ円弧面であり、前記各膨らみ円弧面は傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記膨らみ円弧面の幅は、その底部から上部へ徐々に狭くなり、
前記反射マスクの上面は、凹み上面であり、その一側は下方への傾斜角度が互いに異なる複数の一部円錐面を連接して構成され、前記各一部円錐面の傾斜角度は、前記膨らみ円弧面の上縁から前記反射マスクのセンターへ、前記反射マスクのセンターに近接するほど、前記反射マスクの底部に傾斜し、
前記反射マスクの正面及び背面は凹み面であり、前記２つの凹み面は、前記反射マスクの上部から底部へ、前記反射マスクの底部に近接するほど、前記反射マスクのセンターから反れる角度で傾斜し、前記２つの凹み面の幅は、その底部から上部へ徐々に狭くなることを特徴とする異形反射マスク付き照明器具。
【請求項２】
更に、
前記光源に電力を供給する電源装置と、
前記反射マスクを覆い、その底面に光線射出口が形成される防塵マスクと、
前記防塵マスクの前記光線射出口の底面に設けられる透光プレートと、
を含むことを特徴とする、請求項１に記載の異形反射マスク付き照明器具。
【請求項３】
前記異形反射マスクの２つの前記側面の前記膨らみ円弧面の底部のエッジには、外側に延びる平面が設けられ、前記平面に貫通孔が設けられ、締結ユニットにより、前記貫通孔は前記防塵マスクの内部に設けられる２つの支持枠に結合されることを特徴とする、請求項２に記載の異形反射マスク付き照明器具。
【請求項４】
前記異形反射マスクの２つの前記側面の前記膨らみ円弧面の幅は、１つがより大きくて１つがより小さい非対称構成であることを特徴とする、請求項１に記載の異形反射マスク付き照明器具。
【請求項５】
前記異形反射マスクの２つの前記側面の前記膨らみ円弧面の幅は、対称構成であり、前記反射マスクのセンターラインを基準として、幅がより小さい部分と幅がより大きい部分を連接して膨らみ円弧形反射面の幅を構成することを特徴とする、請求項１に記載の異形反射マスク付き照明器具。
【請求項６】
前記異形反射マスクの正面と背面との前記凹み面は、同じ半径を有する円弧面であるが、それぞれの傾斜角度が異なる非対称構成であることを特徴とする、請求項１に記載の異形反射マスク付き照明器具。
【請求項７】
前記異形反射マスクの正面と背面との前記凹み面は、異なる半径を有する円弧面であり、それぞれの傾斜角度も異なる非対称構成であることを特徴とする、請求項１に記載の異形反射マスク付き照明器具。
【請求項８】
前記異形反射マスクの正面と背面との前記各凹み面は、傾斜角度を有する少なくとも２つの平面を連接して構成されることを特徴とする、請求項１に記載の異形反射マスク付き照明器具。
【請求項９】
前記異形反射マスクの正面と背面との前記各凹み面は、傾斜角度を有する少なくとも２つの円弧面を連接して構成されることを特徴とする、請求項１に記載の異形反射マスク付き照明器具。
【請求項１０】
光線を発生する光源と、異形反射マスクと、を少なくとも含み、
前記異形反射マスクは、その内部に前記光源が設けられ、その裏面が反射面であり、２つの側面は、それぞれ第１階段状膨らみ円弧面と、第２階段状膨らみ円弧面と、を少なくとも有し、第１扇形平面により前記第１階段状膨らみ円弧面と前記第２階段状膨らみ円弧面が連接され、前記第１階段状膨らみ円弧面と前記第２階段状膨らみ円弧面とは、傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記第１階段状膨らみ円弧面と前記第２階段状膨らみ円弧面との幅は、その底部から上部へ徐々に狭くなり、
前記反射マスクの正面及び背面は凹み面であり、前記２つの凹み面は、前記反射マスクの上部から底部へ、前記反射マスクの底部に近接するほど、前記反射マスクのセンターから反れる角度で傾斜し、前記２つの凹み面の幅は、その底部から上部へ徐々に狭くなることを特徴とする異形反射マスク付き照明器具。
【請求項１１】
更に、
前記光源に電力を供給する電源装置と、
前記反射マスクを覆い、その底面に光線射出口が形成される防塵マスクと、
前記防塵マスクの前記光線射出口の底面に設けられる透光プレートと、
を含むことを特徴とする、請求項１０に記載の異形反射マスク付き照明器具。
【請求項１２】
前記異形反射マスクの２つの前記側面の前記第１階段状膨らみ円弧面の底部のエッジには、外側に延びる平面が設けられ、前記平面に貫通孔が設けられ、締結ユニットにより、前記貫通孔は前記防塵マスクの内部に設けられる２つの支持枠に結合されることを特徴とする、請求項１１に記載の異形反射マスク付き照明器具。
【請求項１３】
前記異形反射マスクの２つの前記側面の前記第１階段状膨らみ円弧面と前記第２階段状膨らみ円弧面との幅は、１つがより大きくて１つがより小さい非対称構成であることを特徴とする、請求項１０に記載の異形反射マスク付き照明器具。
【請求項１４】
前記異形反射マスクの２つの前記側面の前記膨らみ円弧面の幅は、対称構成であり、前記反射マスクのセンターラインを基準として、幅がより小さい部分と幅がより大きい部分を連接して膨らみ円弧形反射面の幅を構成することを特徴とする、請求項１０に記載の異形反射マスク付き照明器具。
【請求項１５】
前記異形反射マスクの正面と背面との前記凹み面は、同じ半径を有する円弧面であるが、それぞれの傾斜角度が異なる非対称構成であることを特徴とする、請求項１０に記載の異形反射マスク付き照明器具。
【請求項１６】
前記異形反射マスクの正面と背面との前記凹み面は、異なる半径を有する円弧面であり、それぞれの傾斜角度も異なる非対称構成であることを特徴とする、請求項１０に記載の異形反射マスク付き照明器具。
【請求項１７】
前記異形反射マスクの正面と背面との前記各凹み面は、傾斜角度を有する少なくとも２つの平面を連接して構成されることを特徴とする、請求項１０に記載の異形反射マスク付き照明器具。
【請求項１８】
前記異形反射マスクの正面と背面との前記各凹み面は、傾斜角度を有する少なくとも２つの円弧面を連接して構成されることを特徴とする、請求項１０に記載の異形反射マスク付き照明器具。
【請求項１９】
前記異形反射マスクの２つの前記側面は、更に、第３階段状膨らみ円弧面をそれぞれ有し、第２扇形平面により前記第３階段状膨らみ円弧面が前記第２階段状膨らみ円弧面と連接することを特徴とする、請求項１０に記載の異形反射マスク付き照明器具。
【請求項２０】
光線を発生する光源と、異形反射マスクと、を少なくとも含み、
前記異形反射マスクは、その内部に前記光源が設けられ、その裏面が反射面であり、２つの側面が膨らみ円弧面であり、前記各膨らみ円弧面は傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記膨らみ円弧面の幅は、その底部から上部へ徐々に狭くなり、
前記反射マスクの正面と背面とは、前記２つの側面の前記２つの膨らみ円弧面を接合して構成される封止面であり、ＬＥＤ発光モジュール又は灯管は、前記反射マスクの上面に設けられる大径貫通孔を挿通して前記反射マスクの内部に挿入し、前記反射マスクの上面に設けられる２つの小径貫通孔には、前記灯管の支持枠、又は前記ＬＥＤ発光モジュールが固定されることを特徴とする異形反射マスク付き照明器具。
【請求項２１】
光線を発生する光源と、異形反射マスクと、を少なくとも含み、
前記異形反射マスクは、その内部に前記光源が設けられ、その裏面が反射面であり、２つの側面が膨らみ円弧面であり、前記各膨らみ円弧面は傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記膨らみ円弧面の幅は、その底部から上部へ徐々に狭くなり、
前記反射マスクの正面は、前記２つの側面の前記２つの膨らみ円弧面を接合して構成される封止面であり、前記反射マスクの背面に貫通孔が設けられ、灯管は前記貫通孔を挿通して前記反射マスクの内部に挿入し、前記反射マスクの上面に設けられる２つの小径貫通孔には、前記灯管の支持枠が固定されることを特徴とする異形反射マスク付き照明器具。
【請求項２２】
光線を発生する光源と、異形反射マスクと、を少なくとも含み、
前記異形反射マスクは、その内部に前記光源が設けられ、その裏面が反射面であり、２つの側面が膨らみ円弧面であり、前記各膨らみ円弧面は傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記膨らみ円弧面の幅は、その底部から上部へ徐々に狭くなり、
前記反射マスクの正面と背面とはそれぞれ貫通孔であり、灯管は前記貫通孔を挿通して前記反射マスクの内部に挿入し、前記反射マスクの上面に設けられる２つの小径貫通孔には、前記灯管の支持枠が固定されることを特徴とする異形反射マスク付き照明器具。
【請求項２３】
光線を発生する光源と、異形反射マスクと、を少なくとも含み、
前記異形反射マスクは、その内部に前記光源が設けられ、その裏面が反射面であり、２つの側面が膨らみ円弧面であり、前記各膨らみ円弧面は傾斜角度が互いに異なる複数の一部円錐面を連接して構成され、前記各一部円錐面の傾斜角度は、前記異形反射マスクの上部に近接するほど、前記異形反射マスクのセンターへ傾斜し、前記膨らみ円弧面の幅は、その底部から上部へ徐々に狭くなり、
前記反射マスクの上面は平面であり、
前記反射マスクの正面と背面とはそれぞれ凹み面であり、前記２つの凹み面は、前記異形反射マスクの底部に近接するほど、前記異形反射マスクのセンターから反れる角度で傾斜し、前記２つの凹み面の幅は、その底部から上部へ徐々に狭くなることを特徴とする異形反射マスク付き照明器具。
【発明の詳細な説明】
【技術分野】
【０００１】
本発明は、照明器具の構成に関し、特に、各反射面により光源からの光線が予定の照明領域に反射され、予定の照明領域が矩形又は特殊の形状を呈する異形反射マスクを有する照明器具に関するものである。
【背景技術】
【０００２】
従来の照明器具は、光源の周囲に反射マスクを設けることが一般的である。反射マスクの設計により、照明器具の照明できる範囲が異なる。
【０００３】
図１のＡを参照する。図１のＡに示したのは従来の照明器具である。このような照明器具は、反射マスクを有し、その中央が円弧形反射面１０１であり、その側辺が傾斜平面反射面１０２、１０３である。前記３つの反射面により反射マスクが構成される。傾斜平面反射面１０２に貫通孔１０５が設けられ、傾斜平面反射面１０３に貫通孔１０４が設けられる。貫通孔１０４、１０５を挿通する灯管１０６は反射マスクの中心に位置する。このような反射マスクによる照明領域は正方形を呈する。
【０００４】
図１のＢを参照する。図１のＢに示したのは従来の別の照明器具である。このような照明器具は反射マスクを有する。前記反射マスクは、半楕円形反射面１０７を有し、一側に貫通孔１０８が設けられる。灯管１０９は貫通孔１０８を挿通して前記反射マスクの内部に位置する。このような反射マスクによる照明領域はほぼ楕円形を呈する。
【０００５】
図１のＣを参照する。図１のＣに示したのは従来の更に別の照明器具である。このような照明器具は、反射マスクを有する。前記反射マスクは、側辺が円弧形反射面１１０であり、上部が平面反射面１１１である。平面反射面１１１の中心に貫通孔１１２が設けられる。灯管１１３は貫通孔１１２を挿通して前記反射マスクの上部の中心に位置する。このような反射マスクによる照明領域は円形を呈する。
【０００６】
これらの従来の照明器具によれば、照明領域が正方形、楕円形、又は円形を呈し、そうすると、道路、広告看板や生産ラインなどに適用する場合には、照明の光度が低すぎであり、照明器具を増加することが必要であり、電力を無駄に消費する問題があった。
【発明の概要】
【発明が解決しようとする課題】
【０００７】
本発明の主な目的は、道路、広告看板や生産ラインなどに特に適用でき、光源からの光線を有効の照明光線に変換でき、電力を有効に利用できる異形反射マスク付き照明器具を提供することにある。  
【課題を解決するための手段】
【０００８】
本発明の異形反射マスク付き照明器具によると、光線を発生する光源と、異形反射マスクと、を少なくとも含み、
異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、
反射マスクの上面は、凹み上面であり、その一側は下方への傾斜角度が互いに異なる複数の一部円錐面を連接して構成され、各一部円錐面の傾斜角度は、膨らみ円弧面の上縁から反射マスクのセンターへ、反射マスクのセンターに近接するほど、反射マスクの底部に傾斜し、
反射マスクの正面及び背面は凹み面であり、２つの凹み面は、反射マスクの上部から底部へ、反射マスクの底部に近接するほど、反射マスクのセンターから反れる角度で傾斜し、２つの凹み面の幅は、その底部から上部へ徐々に狭くなることを特徴とする。
【０００９】
本発明の異形反射マスク付き照明器具によると、更に、
光源に電力を供給する電源装置と、
反射マスクを覆い、その底面に光線射出口が形成される防塵マスクと、
防塵マスクの光線射出口の底面に設けられる透光プレートと、
を含むことを特徴とする。
【００１０】
本発明の異形反射マスク付き照明器具によると、異形反射マスクの２つの側面の膨らみ円弧面の底部のエッジには、外側に延びる平面が設けられ、平面に貫通孔が設けられ、締結ユニットにより、貫通孔は防塵マスクの内部に設けられる２つの支持枠に結合されることを特徴とする。
【００１１】
本発明の異形反射マスク付き照明器具によると、異形反射マスクの２つの側面の膨らみ円弧面の幅は、１つがより大きくて１つがより小さい非対称構成であることを特徴とする。
【００１２】
本発明の異形反射マスク付き照明器具によると、異形反射マスクの２つの側面の膨らみ円弧面の幅は、対称構成であり、反射マスクのセンターラインを基準として、幅がより小さい部分と幅がより大きい部分を連接して膨らみ円弧形反射面の幅を構成することを特徴とする。
【００１３】
本発明の異形反射マスク付き照明器具によると、異形反射マスクの正面と背面との凹み面は、同じ半径を有する円弧面であるが、それぞれの傾斜角度が異なる非対称構成であることを特徴とする。
【００１４】
本発明の異形反射マスク付き照明器具によると、異形反射マスクの正面と背面との凹み面は、異なる半径を有する円弧面であり、それぞれの傾斜角度も異なる非対称構成であることを特徴とする。
【００１５】
本発明の異形反射マスク付き照明器具によると、異形反射マスクの正面と背面との各凹み面は、傾斜角度を有する少なくとも２つの平面を連接して構成されることを特徴とする。
【００１６】
本発明の異形反射マスク付き照明器具によると、異形反射マスクの正面と背面との各凹み面は、傾斜角度を有する少なくとも２つの円弧面を連接して構成されることを特徴とする。
【００１７】
本発明の異形反射マスク付き照明器具によると、光線を発生する光源と、異形反射マスクと、を少なくとも含み、
異形反射マスクは、その内部に光源が設けられ、その裏面が反射面であり、２つの側面は、それぞれ第１階段状膨らみ円弧面と、第２階段状膨らみ円弧面と、を少なくとも有し、第１扇形平面により第１階段状膨らみ円弧面と第２階段状膨らみ円弧面が連接され、第１階段状膨らみ円弧面と第２階段状膨らみ円弧面とは、傾斜角度が互いに異なる複数の一部円錐面を連接して構成され、各一部円錐面の傾斜角度は、異形反射マスクの上部に近接するほど、異形反射マスクのセンターへ傾斜し、第１階段状膨らみ円弧面と第２階段状膨らみ円弧面との幅は、その底部から上部へ徐々に狭くなり、
反射マスクの正面及び背面は凹み面であり、２つの凹み面は、反射マスクの上部から底部へ、反射マスクの底部に近接するほど、反射マスクのセンターから反れる角度で傾斜し、２つの凹み面の幅は、その底部から上部へ徐々に狭くなることを特徴とする。
【００１８】
本発明の異形反射マスク付き照明器具によると、更に、
光源に電力を供給する電源装置と、
反射マスクを覆い、その底面に光線射出口が形成される防塵マスクと、
防塵マスクの光線射出口の底面に設けられる透光プレートと、
を含むことを特徴とする。
【００１９】
本発明の異形反射マスク付き照明器具によると、異形反射マスクの２つの側面の第１階段状膨らみ円弧面の底部のエッジには、外側に延びる平面が設けられ、平面に貫通孔が設けられ、締結ユニットにより、貫通孔は防塵マスクの内部に設けられる２つの支持枠に結合されることを特徴とする。
【００２０】
本発明の異形反射マスク付き照明器具によると、異形反射マスクの２つの側面の第１階段状膨らみ円弧面と第２階段状膨らみ円弧面との幅は、１つがより大きくて１つがより小さい非対称構成であることを特徴とする。
【００２１】
本発明の異形反射マスク付き照明器具によると、異形反射マスクの２つの側面の膨らみ円弧面の幅は、対称構成であり、反射マスクのセンターラインを基準として、幅がより小さい部分と幅がより大きい部分を連接して膨らみ円弧形反射面の幅を構成することを特徴とする。
【００２２】
本発明の異形反射マスク付き照明器具によると、異形反射マスクの正面と背面との凹み面は、同じ半径を有する円弧面であるが、それぞれの傾斜角度が異なる非対称構成であることを特徴とする。
【００２３】
本発明の異形反射マスク付き照明器具によると、異形反射マスクの正面と背面との凹み面は、異なる半径を有する円弧面であり、それぞれの傾斜角度も異なる非対称構成であることを特徴とする。
【００２４】
本発明の異形反射マスク付き照明器具によると、異形反射マスクの正面と背面との各凹み面は、傾斜角度を有する少なくとも２つの平面を連接して構成されることを特徴とする。
【００２５】
本発明の異形反射マスク付き照明器具によると、異形反射マスクの正面と背面との各凹み面は、傾斜角度を有する少なくとも２つの円弧面を連接して構成されることを特徴とする。
【００２６】
本発明の異形反射マスク付き照明器具によると、異形反射マスクの２つの側面は、更に、第３階段状膨らみ円弧面をそれぞれ有し、第２扇形平面により第３階段状膨らみ円弧面が第２階段状膨らみ円弧面と連接することを特徴とする。
【００２７】
本発明の異形反射マスク付き照明器具によると、光線を発生する光源と、異形反射マスクと、を少なくとも含み、
異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、
反射マスクの正面と背面とは、２つの側面の２つの膨らみ円弧面を接合して構成される封止面であり、ＬＥＤ発光モジュール又は灯管は、反射マスクの上面に設けられる大径貫通孔を挿通して反射マスクの内部に挿入し、反射マスクの上面に設けられる２つの小径貫通孔には、灯管の支持枠、又はＬＥＤ発光モジュールが固定されることを特徴とする。
【００２８】
本発明の異形反射マスク付き照明器具によると、光線を発生する光源と、異形反射マスクと、を少なくとも含み、
異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、
反射マスクの正面は、２つの側面の２つの膨らみ円弧面を接合して構成される封止面であり、反射マスクの背面に貫通孔が設けられ、灯管は貫通孔を挿通して反射マスクの内部に挿入し、反射マスクの上面に設けられる２つの小径貫通孔には、灯管の支持枠が固定されることを特徴とする。
【００２９】
本発明の異形反射マスク付き照明器具によると、光線を発生する光源と、異形反射マスクと、を少なくとも含み、
異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、
反射マスクの正面と背面とはそれぞれ貫通孔であり、灯管は貫通孔を挿通して反射マスクの内部に挿入し、反射マスクの上面に設けられる２つの小径貫通孔には、灯管の支持枠が固定されることを特徴とする。
【００３０】
本発明の異形反射マスク付き照明器具によると、光線を発生する光源と、異形反射マスクと、を少なくとも含み、
異形反射マスクは、その内部に光源が設けられ、その裏面が反射面であり、２つの側面が膨らみ円弧面であり、各膨らみ円弧面は傾斜角度が互いに異なる複数の一部円錐面を連接して構成され、各一部円錐面の傾斜角度は、異形反射マスクの上部に近接するほど、異形反射マスクのセンターへ傾斜し、膨らみ円弧面の幅は、その底部から上部へ徐々に狭くなり、
反射マスクの上面は平面であり、
反射マスクの正面と背面とはそれぞれ凹み面であり、２つの凹み面は、異形反射マスクの底部に近接するほど、異形反射マスクのセンターから反れる角度で傾斜し、２つの凹み面の幅は、その底部から上部へ徐々に狭くなることを特徴とする。
【発明の効果】
【００３１】
本発明の異形反射マスク付き照明器具によれば、道路、広告看板や生産ラインなどに特に適用でき、光源からの光線を有効の照明光線に変換でき、電力を有効に利用できるという効果を有する。
【図面の簡単な説明】
【００３２】
【図１】Ａ乃至Ｃは従来の反射マスクを示す模式図である。
【図２】Ａは本発明の実施例１を示す上面図であり、Ｂは本発明の実施例１を示す下面図であり、Ｃは本発明の実施例１を示す斜視図であり、Ｄは本発明の実施例１の変化例を示す下面図である。
【図３】Ａは本発明の実施例２を示す上面図であり、Ｂは本発明の実施例２を示す下面図であり、Ｃは本発明の実施例２を示す斜視図であり、Ｄは本発明の実施例２の変化例を示す下面図である。
【図４】Ａは本発明の実施例３を示す上面図であり、Ｂは本発明の実施例３を示す下面図であり、Ｃは本発明の実施例２を示す斜視図である。
【図５】Ａは本発明の実施例４を示す上面図であり、Ｂは本発明の実施例４を示す下面図である。
【図６】Ａは本発明の実施例５を示す上面図であり、Ｂは本発明の実施例５を示す下面図である。
【図７】Ａは本発明の実施例６を示す上面図であり、Ｂは本発明の実施例６を示す下面図である。
【図８】Ａは本発明の実施例７を示す上面図であり、Ｂは本発明の実施例７を示す下面図である。
【図９】Ａは本発明の実施例８を示す上面図であり、Ｂは本発明の実施例８を示す下面図である。
【図１０】本発明の異形反射マスクの光線を通過可能な別の貫通孔を示す斜視図である。
【図１１】Ａは本発明の異形反射マスクの２つの膨らみ円弧面により光線を反射する経路を示す図であり、Ｂは本発明の異形反射マスクの２つの膨らみ円弧面により光線を反射することによる照明範囲を示す図である。
【図１２】Ａは本発明の異形反射マスクの２つの凹み円弧面により光線を反射する経路を示す図であり、Ｂは本発明の異形反射マスクの２つの凹み円弧面により光線を反射することによる照明範囲を示す図である。
【図１３】本発明の一実施例が吊り式照明器具に適用される状態を示す断面図である。
【図１４】本発明の一実施例が街灯の照明器具に適用される状態を示す断面図である。
【図１５】本発明の実施例９を示す斜視図であり、Ａは本発明の実施例９を示す上面図である。
【図１６】本発明の実施例１０を示す斜視図であり、Ａは本発明の実施例１０を示す上面図である。
【図１７】本発明の実施例１１を示す斜視図であり、Ａは本発明の実施例１１を示す上面図である。
【図１８】本発明の実施例１２を示す斜視図であり、Ａは本発明の実施例１２を示す上面図である。
【発明を実施するための最良の形態】
【００３３】
以下、本発明の実施の形態を図面に基づいて説明する。
まず、図１３を参照する。図１３に示したのは本発明の一実施例を示す断面図である。これは吊り式照明器具である。具体的には、照明器具の上に上蓋１３０１が設けられ、上蓋１３０１の中央に貫通孔１３０３が設けられる。貫通孔１３０３により前記照明器具を吊ることができる。螺子１３１０、１３１１により台座１３０２が上蓋１３０１に固定される。
【００３４】
電源装置１３０４が電気ボックスに収容され、前記電気ボックスは異形反射マスク１３１７の上に設けられる。台座１３０２に鉄片１３０５が固定される。電源装置１３０４の右側にケーブル１３０６、１３０７が設けられ、ケーブル１３０６、１３０７が灯管ケーブル１３２３、１３２４とそれぞれ接続する。電源装置１３０４の左側にケーブル１３０８、１３０９が設けられ、ケーブル１３０８、１３０９が外部のケーブルと接続する。
【００３５】
防塵マスク１３１２は、異形反射マスク１３１７を覆い、その底面に光線射出口が形成される。締結ユニット１３１３、１３１４により、防塵マスク１３１２と支持枠１３１５、１３１６とは台座１３０２の下面に固定される。
【００３６】
締結ユニット１３１８、１３１９により、発光源１３１７ａが設けられる異形反射マスク１３１７は支持枠１３１５、１３１６に固定される。螺子を有する少なくとも２つのコ字形治具１３２１、１３２２により、透光プレート１３２０は防塵マスク１３１２の前記光線射出口の底面に固定される。
【００３７】
上記の部品により、異形反射マスク付き照明器具が構成される。本発明の重点は異形反射マスクの設計に置かれる。以下、本発明の異形反射マスク付き照明器具を詳細に説明する。
【００３８】
（実施例１）
まず、図２のＡ乃至Ｃを参照する。図２のＡ乃至Ｃに示したのは、本発明の実施例１の異形反射マスク付き照明器具である。本実施例の反射マスク２０１は、その裏面が反射面であり、２つの側面が膨らみ円弧面であり、各膨らみ円弧面は傾斜角度が互いに異なる複数の一部円錐面２０２ａ〜２０２ｎを連接して構成される。各一部円錐面２０２ａ〜２０２ｎの傾斜角度は、異形反射マスク２０１の上部に近接するほど、異形反射マスク２０１のセンターへ傾斜する。前記膨らみ円弧面の幅は、その底部から上部へ徐々に狭くなる。本実施例では、反射マスク２０１の２つの側面の膨らみ円弧面が互いに対称する構成である。
【００３９】
反射マスク２０１の上面は、凹み上面であり、その一側は下方への傾斜角度が互いに異なる複数の一部円錐面２０４、２０５を連接して構成される。各一部円錐面２０４、２０５の傾斜角度は、前記膨らみ円弧面の上縁から反射マスク２０１のセンターへ、反射マスク２０１のセンターに近接するほど、反射マスク２０１の底部に傾斜する。
【００４０】
図２のＢを参照する。反射マスク２０１の正面及び背面は凹み面２０６、２０７である。凹み面２０６、２０７は、凹み方向が互いに逆し、弧度及び傾斜角度が同じ、反射マスク２０１の上部から底部へ、反射マスク２０１の底部に近接するほど、反射マスク２０１のセンターから反れる角度で傾斜する。凹み面２０６、２０７の幅は、その底部から上部へ徐々に狭くなる。凹み面２０６、２０７は対称構成である。
【００４１】
反射マスク２０１の上部の中心に貫通孔２０８が設けられる。発光源である灯管が貫通孔２０８を挿通する。前記２つの膨らみ円弧面の底部のエッジには、外側に延びる平面２０９、２１０が設けられる。平面２０９、２１０に貫通孔２１１、２１２がそれぞれ設けられる。貫通孔２１１、２１２は、照明器具に反射マスク２０１を固定するためのものである。
【００４２】
図２のＤを参照する。反射マスク２０１の正面及び背面である凹み面は、少なくとも、２つの平面（２１３、２１４）（２１５、２１６）、又は２つの凹み円弧面を連接して構成される。前記２つの凹み面は、反射マスク２０１の上部から底部へ、反射マスク２０１の底部に近接するほど、反射マスク２０１のセンターから反れる角度で傾斜する。前記２つの凹み面の幅は、その底部から上部へ徐々に狭くなる。
【００４３】
（実施例２）
図３のＡ乃至Ｃを参照する。本実施例の反射マスク３０１の２つの側面は、それぞれ第１階段状膨らみ円弧面と、第２階段状膨らみ円弧面と、から構成される。前記第１階段状膨らみ円弧面は、傾斜角度が互いに異なる複数の一部円錐面３０２ａ〜３０２ｎを連接して構成される。各一部円錐面３０２ａ〜３０２ｎの傾斜角度は、反射マスク３０１の上部に近接するほど、反射マスク３０１のセンターへ傾斜する。前記第１階段状膨らみ円弧面の幅は、その底部から上部へ徐々に狭くなる。
【００４４】
前記第１階段状膨らみ円弧面の上縁が扇形平面３０４の外縁と連接し、扇形平面３０４の内縁が前記第２階段状膨らみ円弧面と連接する。
【００４５】
前記第２階段状膨らみ円弧面は、傾斜角度が互いに異なる複数の一部円錐面３０５ａ〜３０５ｎを連接して構成される。各一部円錐面３０５ａ〜３０５ｎの傾斜角度は、反射マスク３０１の上部に近接するほど、反射マスク３０１のセンターへ傾斜する。前記第２階段状膨らみ円弧面の幅は、その底部から上部へ徐々に狭くなる。本実施例では、反射マスク３０１の２つの側面は対称構成である。
【００４６】
前記第２階段状膨らみ円弧面の上縁に平面３０７が連接される。
図３のＢを参照する。反射マスク３０１の正面及び背面は凹み面３０８、３０９である。凹み面３０８、３０９は、凹み方向が互いに逆し、弧度及び傾斜角度が同じ、反射マスク３０１の上部から底部へ、反射マスク３０１の底部に近接するほど、反射マスク３０１のセンターから反れる角度で傾斜する。凹み面３０８、３０９の幅は、その底部から上部へ徐々に狭くなる。凹み面３０８、３０９は対称構成である。
【００４７】
反射マスク３０１の上部に貫通孔３１０が設けられる。発光源である灯管は貫通孔３１０を挿通する。２つの前記第１階段状膨らみ円弧面の底部のエッジには、外側に延びる平面３１１、３１２が設けられる。平面３１１、３１２に貫通孔３１３、３１４がそれぞれ設けられる。貫通孔３１３、３１４は、照明器具に反射マスク３０１を固定するためのものである。
【００４８】
図３のＤを参照する。反射マスク３０１の正面及び背面である凹み面３０８、３０９は、少なくとも、２つの平面（３１５、３１６）（３１７、３１８）、又は２つの凹み円弧面を連接して構成される。凹み面３０８、３０９は、反射マスク３０１の上部から底部へ、反射マスク３０１の底部に近接するほど、反射マスク２０１のセンターから反れる角度で傾斜する。凹み面３０８、３０９の幅は、その底部から上部へ徐々に狭くなる。
【００４９】
（実施例３）
図４のＡ乃至Ｃを参照する。本実施例の反射マスク４０１の２つの側面は、それぞれ第１階段状膨らみ円弧面と、第２階段状膨らみ円弧面と、第３階段状膨らみ円弧面と、から構成される。前記第１階段状膨らみ円弧面は、傾斜角度が互いに異なる複数の一部円錐面４０２ａ〜４０２ｎを連接して構成される。各一部円錐面４０２ａ〜４０２ｎの傾斜角度は、反射マスク４０１の上部に近接するほど、反射マスク４０１のセンターへ傾斜する。前記第１階段状膨らみ円弧面の幅は、その底部から上部へ徐々に狭くなる。
【００５０】
前記第１階段状膨らみ円弧面の上縁が第１扇形平面４０４の外縁と連接し、第１扇形平面４０４の内縁が前記第２階段状膨らみ円弧面と連接する。
【００５１】
前記第２階段状膨らみ円弧面は、傾斜角度が互いに異なる複数の一部円錐面４０５ａ〜４０５ｎを連接して構成される。各一部円錐面４０５ａ〜４０５ｎの傾斜角度は、反射マスク４０１の上部に近接するほど、反射マスク４０１のセンターへ傾斜する。前記第２階段状膨らみ円弧面の幅は、その底部から上部へ徐々に狭くなる。本実施例では、反射マスク４０１の２つの側面は対称構成である。
【００５２】
前記第２階段状膨らみ円弧面の上縁が第２扇形平面４０７の外縁と連接し、第２扇形平面４０７の内縁が前記第３階段状膨らみ円弧面と連接する。
【００５３】
前記第３階段状膨らみ円弧面は、傾斜角度が互いに異なる複数の一部円錐面４０８ａ〜４０８ｎを連接して構成される。各一部円錐面４０８ａ〜４０８ｎの傾斜角度は、反射マスク４０１の上部に近接するほど、反射マスク４０１のセンターへ傾斜する。前記第３階段状膨らみ円弧面の幅は、その底部から上部へ徐々に狭くなる。本実施例では、反射マスク４０１の２つの側面は対称構成である。
【００５４】
反射マスク４０１の前記第３階段状膨らみ円弧面の上縁に平面４１０が連接される。
図４のＢを参照する。反射マスク４０１の正面及び背面は凹み面４１１、４１２である。凹み面４１１、４１２は、凹み方向が互いに逆し、弧度及び傾斜角度が同じ、反射マスク４０１の上部から底部へ、反射マスク４０１の底部に近接するほど、反射マスク４０１のセンターから反れる角度で傾斜する。凹み面４１１、４１２の幅は、その底部から上部へ徐々に狭くなる。凹み面４１１、４１２は対称構成である。
【００５５】
反射マスク４０１の上部に貫通孔４１３が設けられる。発光源である灯管は貫通孔４１３を挿通する。２つの前記第１階段状膨らみ円弧面の底部のエッジには、外側に延びる平面４１４、４１５が設けられる。平面４１４、４１５に貫通孔４１６、４１７がそれぞれ設けられる。貫通孔４１６、４１７は、照明器具に反射マスク４０１を固定するためのものである。
【００５６】
（実施例４）
本実施例の反射マスク５０１は、図４のＡ及びＢに類似し、３つの階段状反射面を有するが、反射マスク５０１の側面５０２、５０３の階段状反射面の一側面の幅Ｔ１がより小さく（図面における右側面）、他側面の幅Ｔ２がより大きい（図面における左側面）。これらは非対称構成である。側面５０２、５０３の幅は、その底部から上部へ徐々に狭くなる。
【００５７】
反射マスク５０１の正面及び背面は凹み面５０９、５１０である。凹み面５０９、５１０は、凹み方向が互いに逆し、弧度及び傾斜角度が同じ、反射マスク５０１の上部から底部へ、反射マスク５０１の底部に近接するほど、反射マスク４０１のセンターから反れる角度で傾斜する。凹み面５０９、５１０の幅は、その底部から上部へ徐々に狭くなる。凹み面５０９、５１０は対称構成である。
【００５８】
反射マスク５０１の上部に貫通孔５０４が設けられる。２つの前記膨らみ円弧形反射面の底部のエッジには、外側に延びる平面５０５、５０６が設けられる。平面５０５、５０６に貫通孔５０７、５０８がそれぞれ設けられる。貫通孔５０７、５０８は、照明器具に反射マスク５０１を固定するためのものである。
【００５９】
（実施例５）
図６のＡ及びＢを参照する。本実施例の反射マスク６０１は、図４のＡ及びＢに類似し、２つの側面は、互いに対称する階段状反射面６０２、６０３であり、反射マスクセンターライン６１３を基準として、幅Ｔ３がより小さい部分と幅Ｔ４がより大きい部分を連接して膨らみ円弧形反射面の幅を構成する。前記２つの側面の幅は、その底部から上部へ徐々に狭くなる。反射マスク６０１の正面及び背面は凹み面である。前記２つの凹み面は、円心が異なるが、半径及び傾斜角度が同じである凹み円弧形反射面６０９、６１０である。凹み円弧形反射面６０９、６１０は、反射マスク６０１の上部から底部へ、反射マスク６０１の底部に近接するほど、反射マスク６０１のセンターから反れる角度で傾斜する。凹み円弧形反射面６０９、６１０の幅は、その底部から上部へ徐々に狭くなる。凹み円弧形反射面６０９、６１０は非対称構成である。反射マスク６０１の上部に貫通孔６０４が設けられる。２つの前記膨らみ円弧形反射面の底部のエッジには、外側に延びる平面６０５、６０６が設けられる。平面６０５、６０６に貫通孔６０７、６０８がそれぞれ設けられる。貫通孔６０７、６０８は、照明器具に反射マスク６０１を固定するためのものである。
【００６０】
（実施例６）
図７のＡ及びＢを参照する。本実施例の反射マスク７０１は、図４のＡ及びＢに類似し、２つの側面は、互いに対称する階段状反射面７０２、７０３であり、反射マスクセンターライン７１３を基準として、幅Ｔ５がより小さい部分と幅Ｔ６がより大きい部分を連接して膨らみ円弧形反射面の幅を構成する。前記２つの側面の幅は、その底部から上部へ徐々に狭くなる。反射マスク７０１の正面及び背面は凹み面である。前記２つの凹み面は、円心、半径及び傾斜角度が異なる凹み円弧形反射面７０９、７１０である。凹み円弧形反射面７０９、７１０は、反射マスク７０１の上部から底部へ、反射マスク７０１の底部に近接するほど、反射マスク７０１のセンターから反れる角度で傾斜する。凹み円弧形反射面７０９、７１０の幅は、その底部から上部へ徐々に狭くなる。凹み円弧形反射面７０９、７１０は非対称構成である。反射マスク７０１の上部に貫通孔７０４が設けられる。２つの前記膨らみ円弧形反射面の底部のエッジには、外側に延びる平面７０５、７０６が設けられる。平面７０５、７０６に貫通孔７０７、７０８がそれぞれ設けられる。貫通孔７０７、７０８は、照明器具に反射マスク７０１を固定するためのものである。
【００６１】
（実施例７）
図８のＡ及びＢを参照する。本実施例の反射マスク８０１は、図４のＡ及びＢに類似し、２つの側面は、互いに対称する階段状反射面８０２、８０３であり、反射マスクセンターライン８１３を基準として、幅が同じである幅Ｔ７、Ｔ８の部分を連接して膨らみ円弧形反射面の幅を構成する。前記２つの側面の幅は、その底部から上部へ徐々に狭くなる。反射マスク８０１の正面及び背面は凹み面である。前記２つの凹み面は、半径が同じであるが、円心及び傾斜角度が異なる凹み円弧形反射面８０９、８１０である。凹み円弧形反射面８０９、８１０は、反射マスク８０１の上部から底部へ、反射マスク８０１の底部に近接するほど、反射マスク８０１のセンターから反れる角度で傾斜する。凹み円弧形反射面８０９、８１０の幅は、その底部から上部へ徐々に狭くなる。凹み円弧形反射面８０９、８１０は非対称構成である。反射マスク８０１の上部に貫通孔８０４が設けられる。灯管は貫通孔８０４を挿通できる。２つの前記膨らみ円弧形反射面の底部のエッジには、外側に延びる平面８０５、８０６が設けられる。平面８０５、８０６に貫通孔８０７、８０８がそれぞれ設けられる。貫通孔８０７、８０８は、照明器具に反射マスク８０１を固定するためのものである。
【００６２】
（実施例８）
図９のＡ及びＢを参照する。本実施例の反射マスク９０１は、図４のＡ及びＢに類似し、２つの側面は、互いに対称する階段状反射面９０２、９０３であり、反射マスクセンターライン９１３を基準として、幅が同じである幅Ｔ９、Ｔ１０の部分を連接して膨らみ円弧形反射面の幅を構成する。前記２つの側面の幅は、その底部から上部へ徐々に狭くなる。反射マスク８０１の正面及び背面は凹み面である。前記２つの凹み面は、円心、半径及び傾斜角度が異なる凹み円弧形反射面９０９、９１０である。凹み円弧形反射面９０９、９１０は、反射マスク９０１の上部から底部へ、反射マスク９０１の底部に近接するほど、反射マスク９０１のセンターから反れる角度で傾斜する。凹み円弧形反射面９０９、９１０の幅は、その底部から上部へ徐々に狭くなる。凹み円弧形反射面９０９、９１０は非対称構成である。反射マスク９０１の上部に貫通孔９０４が設けられる。灯管は貫通孔９０４を挿通できる。２つの前記膨らみ円弧形反射面の底部のエッジには、外側に延びる平面９０５、９０６が設けられる。平面９０５、９０６に貫通孔９０７、９０８がそれぞれ設けられる。貫通孔９０７、９０８は、照明器具に反射マスク９０１を固定するためのものである。
【００６３】
図１０を参照する。図１０は本発明の異形反射マスク１００１の光線を通過可能な別の貫通孔を示す斜視図である。これは、図４のＡ及びＢに類似し、正面と背面との凹み反射面１００２、１００３に貫通孔１００４、１００５がそれぞれ設けられる。灯管は貫通孔１００４、１００５を挿通できる。反射マスク１００１の上部の中心には、光源の台座を固定するための貫通孔１００６が設けられる。
【００６４】
図１１のＡを参照する。図１１のＡは本発明の異形反射マスクの２つの膨らみ円弧面により光線を反射する経路を示す図である。反射マスク１１０１の構成は図４のＡ及びＢに類似する。灯管１１０２は反射マスク１１０１の内部に設けられる。灯管１１０２からの光線において、光線１１０３、１１０４が反射マスク１１０１の光線射出面を経由して照明領域１１１４に到達し、光線１１０５、１１０６が第１階段状膨らみ円弧面１１０７を経由して照明領域１１１４に反射し、光線１１０８が第２階段状膨らみ円弧面１１０９を経由して、他側にある第１階段状膨らみ円弧面１１１０を経由して照明領域１１１４に反射し、光線１１１１が第３階段状膨らみ円弧面１１１２を経由して、他側にある第１階段状膨らみ円弧面１１１０を経由して照明領域１１１４に反射し、光線１１１３が第３階段状膨らみ円弧面１１１２の上部の平面を経由して、他側にある第１階段状膨らみ円弧面１１０７を経由して照明領域１１１４に反射する。
【００６５】
図１１のＢを参照する。図１１のＢは本発明の反射マスク１１０１の２つの膨らみ円弧面により光線を反射することによる照明範囲１１１５を示す図である。図１１のＢから明らかなように、照明範囲１１１５は互いに対称する２つの扇形領域であり、光線が互いに交差する。照明の幅Ｔ１１は、反射マスク１１０１の２つの側辺にある膨らみ円弧形反射面の幅によって決まる。照明の幅Ｔ１１と膨らみ円弧形反射面の幅は正比例する。或いは照明の幅Ｔ１１は、反射マスク１１０１の２つの側辺にある膨らみ円弧形反射面の半径によって決まる。前記膨らみ円弧形反射面の半径が大きいほど、照明の幅Ｔ１１が小さく、前記膨らみ円弧形反射面の半径が小さいほど、照明の幅Ｔ１１が大きい。照明の長さＴ１２は、反射マスク１１０１の２つの側辺にある膨らみ円弧形反射面の傾斜角度によって決まる。
【００６６】
図１２のＡを参照する。図１２のＡは本発明の異形反射マスクの２つ側辺にある凹み円弧面により光線を反射する経路を示す図である。反射マスク１２０１の構成は図１１のＡに類似する。灯管１２０２は反射マスク１２０１の内部に設けられる。灯管１２０２からの光線において、光線１２０５が反射マスク１２０１の光線射出面を経由して照明領域１２１６に到達し、光線１２０６、１２０７が右側凹み円弧面１２０３を経由して照明領域１２１６に到達し、光線１２０８が右側凹み円弧面１２０３を経由して、左側凹み円弧面１２０４を経由して照明領域１２１６に到達し、光線１２０９が右側凹み円弧面１２０３と左側凹み円弧面１２０４とでそれぞれ二回の反射をして照明領域１２１６に到達する。
【００６７】
図１２のＢを参照する。図１２のＢは本発明の反射マスク１２０１の２つの凹み円弧面により光線を反射することによる照明範囲１２１１を示す図である。図１２のＢから明らかなように、照明範囲１２１１は互いに対称する２つの扇形領域であり、光線が互いに交差する。扇形を呈する光線１２１２、１２１３は、中央から外側に分散するが、互いに交差し、又は重ねることがない。これは、正面と背面とが凹み円弧面で構成される反射面であるため、反射の光線が外側に分散する。同じように、正面と背面とが２つの平面を連接して構成される凹み反射面である場合には、反射の光線も外側に分散する。照明の幅Ｔ１３は反射マスク１２０１の正面と背面とにある凹み面の傾斜角度によって決まる。前記凹み面の傾斜角度が大きいほど、照明の幅が広い。照明の長さＴ１４は正面と背面とにある凹み面の円弧の半径によって決まる。凹み面の円弧の半径が大きいほど、照明の長さが短い。
【００６８】
図１１のＢと図１２のＢとの照明範囲を重ねると、光線が均一に分布する矩形の照明範囲１２１１となる。
図１４を参照する。図１４は本発明の一実施例が街灯の照明器具に適用される状態を示す断面図である。本実施例では、笠上蓋１４０１を有し、螺子１４０３により笠上蓋１４０１の旋回可能な構成に笠台座１４０２が固定され、係合具１４０４により笠上蓋１４０１と笠台座１４０２とが脱着可能に係合する。笠上蓋１４０１と笠台座１４０２の間には、内部の空間を第１空間１４０６と第２空間１４０７に分けるための壁１４０５、１４２２が設けられる。第１空間１４０６に電源装置１４０８が設けられ、鉄片１４０９及び螺子１４１０により電源装置１４０８が笠台座１４０２に固定される。電源装置１４０８の一側に二本のケーブル１４１２が設けられる。二本のケーブル１４１２は壁１４０５、１４２２に設けられる貫通孔１４１３を挿通して灯管と接続する。電源装置１４０８の他側に二本のケーブル１４１１が設けられる。二本のケーブル１４１１は外部のケーブルと接続する。第２空間１４０７の笠の底部に設けられる光線射出穴には、透光プレート１４１４が設けられる。少なくとも鉄片１４１５、１４１６及び螺子１４１７、１４１８は笠台座１４０２に固定される。螺子を有する少なくとも２つのコ字形治具１４２０により、発光源が設けられる反射マスクは透光プレート１４１４に固定される。これにより、異形反射マスクが設けられる街灯用照明器具の組立作業は完成した。
【００６９】
本発明の異形反射マスク付き照明器具によれば、道路、広告看板や生産ラインなどに特に適用でき、光源からの光線を有効の照明光線に変換でき、電力を有効に利用できるという効果を有する。
【００７０】
図５乃至図９の構成は図４のＡの構成により説明した。これは図面及び説明を簡単化するためである。図２及び図３の異形反射マスクの構成も上記と同じ変化を有し、これにより、照明範囲を特殊化する効果を有する。詳細の説明を省略した。上記の異形反射マスクの２つの側辺にある膨らみ円弧形反射面は、傾斜角度が互いに異なる複数の一部円錐面を連接して階段状反射面を構成する。これは、図面及び説明を簡単化するために、複数の線によって示した。実際の製品では、前記膨らみ円弧形反射面は傾斜角度が互いに異なる多数の平面を連接して構成される。その外観はほぼ円弧形を呈する。これも本発明の特許請求の範囲に属する。
【００７１】
図１３及び図１４を参照する。図１３は本発明の一実施例が吊り式照明器具に適用される状態を示す断面図であり、図１４は本発明の一実施例が街灯の照明器具に適用される状態を示す断面図である。実際に、光源がＬＥＤランプであり、照明器具内に異形反射マスクが複数設けられ、前記各異形反射マスクの内部にＬＥＤランプが設けられる。これも本発明の特許請求の範囲に属する。
【００７２】
（実施例９）
図１５及び図１５のＡを参照する。反射マスク１５０１は、その裏面が反射面であり、側面１５０２、１５０３が膨らみ円弧面であり、各膨らみ円弧面は傾斜角度が互いに異なる複数の一部円錐面を連接して構成される。前記各一部円錐面の傾斜角度は、反射マスク１５０１の上部に近接するほど、反射マスク１５０１のセンターへ傾斜する。前記膨らみ円弧面の幅は、その底部から上部へ徐々に狭くなる。反射マスク１５０１の正面１５０４と背面１５０５とは、側面１５０２、１５０３の前記２つの膨らみ円弧面を接合して構成される封止面である。ＬＥＤ発光モジュール又は灯管は、反射マスク１５０１の上面に設けられる大径貫通孔１５０６を挿通して反射マスク１５０１の内部に挿入する。反射マスク１５０１の上面に設けられる小径貫通孔１５０７、１５０８には、前記灯管の支持枠、又は前記ＬＥＤ発光モジュールが固定される。実施例２及び実施例３の反射マスクが少なくとも２つの階段状膨らみ円弧面から構成されることは、本実施例に適用することもでき、説明を省略した。
【００７３】
（実施例１０）
図１６及び図１６のＡを参照する。反射マスク１６０１は、その裏面が反射面であり、側面１６０２、１６０３が膨らみ円弧面であり、前記各膨らみ円弧面は傾斜角度が互いに異なる複数の一部円錐面を連接して構成され、前記各一部円錐面の傾斜角度は、反射マスク１６０１の上部に近接するほど、反射マスク１６０１のセンターへ傾斜する。前記膨らみ円弧面の幅は、その底部から上部へ徐々に狭くなる。反射マスク１６０１の正面１６０４は、側面１６０２、１６０３の前記２つの膨らみ円弧面を接合して構成される封止面である。反射マスク１６０１の背面１６０５に貫通孔が設けられる。灯管は前記貫通孔を挿通して反射マスク１６０１の内部に挿入する。反射マスク１６０１の上面に設けられる小径貫通孔１６０７、１６０８には、前記灯管の支持枠が固定される。実施例２及び実施例３の反射マスクが少なくとも２つの階段状膨らみ円弧面から構成されることは、本実施例に適用することもでき、説明を省略した。
【００７４】
（実施例１１）
図１７及び図１７のＡを参照する。反射マスク１７０１は、その裏面が反射面であり、側面１７０２、１７０３が膨らみ円弧面であり、前記各膨らみ円弧面は傾斜角度が互いに異なる複数の一部円錐面を連接して構成される。前記各一部円錐面の傾斜角度は、反射マスク１７０１の上部に近接するほど、反射マスク１７０１のセンターへ傾斜する。前記膨らみ円弧面の幅は、その底部から上部へ徐々に狭くなる。反射マスク１７０１の正面１７０４と背面１７０５とはそれぞれ貫通孔である。灯管は前記貫通孔を挿通して反射マスク１７０１の内部に挿入する。反射マスク１７０１の上面に設けられる小径貫通孔１７０６、１７０７には、前記灯管の支持枠が固定される。実施例２及び実施例３の反射マスクが少なくとも２つの階段状膨らみ円弧面から構成されることは、本実施例に適用することもでき、説明を省略した。
【００７５】
（実施例１２）
図１８及び図１８のＡを参照する。反射マスクの２つの側辺にある膨らみ円弧面、正面及び背面は、図２に示した構成と同じである。反射マスク１８０１の上面は平面１８０２である。平面１８０２の中心には、灯管又はＬＥＤモジュールを挿通可能な大径貫通孔１８０３が設けられる。平面１８０２には、灯管の支持枠又はＬＥＤモジュールを固定するための小径貫通孔１８０４、１８０５が設けられる。
前記膨らみ円弧面にある複数の円錐面は、同心でもいいし、非同心でもよい。
【産業上の利用可能性】
【００７６】
本発明は、照明器具に適用することができる。
【符号の説明】
【００７７】
１０１，１１０：円弧形反射面
１０２，１０３：傾斜平面反射面
１０４，１０５，１０８，１１２：貫通孔
１０６，１０９，１１３：灯管
１０７：半楕円形反射面
１１１：平面反射面
２０１：反射マスク
２０２ａ〜２０２ｎ：一部円錐面
２０４，２０５：一部円錐面
２０６，２０７：凹み面
２０８：貫通孔
２０９，２１０：平面
２１１，２１２：貫通孔
２１３，２１４，２１５，２１６：平面
３０１：反射マスク
３０２ａ〜３０２ｎ：一部円錐面
３０４：扇形平面
３０５ａ〜３０５ｎ：一部円錐面
３０７：平面
３０８，３０９：凹み面
３１０：貫通孔
３１１，３１２：平面
３１３，３１４：貫通孔
３１５，３１６，３１７，３１８：平面
４０１：反射マスク
４０２ａ〜４０２ｎ：一部円錐面
４０４：第１扇形平面
４０５ａ〜４０５ｎ：一部円錐面
４０７：第２扇形平面
４０８ａ〜４０８ｎ：一部円錐面
４１０：平面
４１１，４１２：凹み面
４１３：貫通孔
４１４，４１５：平面
４１６，４１７：貫通孔
５０１：反射マスク
５０２，５０３：側面
５０４：貫通孔
５０５，５０６：平面
５０７，５０８：貫通孔
５０９，５１０：凹み面
６０１：反射マスク
６０２，６０３：階段状反射面
６０４：貫通孔
６０５，６０６：平面
６０７，６０８：貫通孔
６０９，６１０：凹み円弧形反射面
６１３：反射マスクセンターライン
７０１：反射マスク
７０２，７０３：階段状反射面
７０４：貫通孔
７０５，７０６：平面
７０７，７０８：貫通孔
７０９，７１０：凹み円弧形反射面
７１３：反射マスクセンターライン
８０１：反射マスク
８０２，８０３：階段状反射面
８０４：貫通孔
８０５，８０６：平面
８０７，８０８：貫通孔
８０９，８１０：凹み円弧形反射面
８１３：反射マスクセンターライン
９０１：反射マスク
９０２，９０３：階段状反射面
９０４：貫通孔
９０５，９０６：平面
９０７，９０８：貫通孔
９０９，９１０：凹み円弧形反射面
９１３：反射マスクセンターライン
１００１：反射マスク
１００２，１００３：凹み反射面
１００４，１００５：貫通孔
１００６：貫通孔
１１０１：反射マスク
１１０２：灯管
１１０３，１１０４：光線
１１０５，１１０６：光線
１１０７：第１階段状膨らみ円弧面
１１０８：光線
１１０９：第２階段状膨らみ円弧面
１１１０：第１階段状膨らみ円弧面
１１１１：光線
１１１２：第３階段状膨らみ円弧面
１１１３：光線
１１１４：照明領域
１１１５：照明範囲
１２０１：反射マスク
１２０２：灯管
１２０３：右側凹み円弧面
１２０４：左側凹み円弧面
１２０５：光線
１２０６，１２０７：光線
１２０８：光線
１２０９：光線
１２１１：照明範囲
１２１２，１２１３：光線
１２１６：照明領域
１３０１：上蓋
１３０２：台座
１３０３：貫通孔
１３０４：電源装置
１３０５：鉄片
１３０６，１３０７：ケーブル
１３０８，１３０９：ケーブル
１３１０，１３１１：螺子
１３１２：防塵マスク
１３１３，１３１４：締結ユニット
１３１５，１３１６：支持枠
１３１７：異形反射マスク
１３１７ａ：発光源
１３１８，１３１９：締結ユニット
１３２０：透光プレート
１３２１，１３２２：コ字形治具
１３２３，１３２４：灯管ケーブル
１４０１：笠上蓋
１４０２：笠台座
１４０３：螺子
１４０４：係合具
１４０５，１４２２：壁
１４０６：第１空間
１４０７：第２空間
１４０８：電源装置
１４０９：鉄片
１４１０：螺子
１４１１：ケーブル
１４１２：ケーブル
１４１３：貫通孔
１４１４：透光プレート
１４１５，１４１６：鉄片
１４１７，１４１８：螺子
１４１９：異形反射マスク
１４２０：コ字形治具
１５０１：反射マスク
１５０２，１５０３：側面
１５０４：正面
１５０５：背面
１５０６：大径貫通孔
１５０７，１５０８：小径貫通孔
１６０１：反射マスク
１６０２，１６０３：側面
１６０４：正面
１６０５：背面
１６０６，１６０７：小径貫通孔
１７０１：反射マスク
１７０２，１７０３：側面
１７０４：正面
１７０５：背面
１７０６，１７０７：小径貫通孔
１８０１：反射マスク
１８０２：平面
１８０３：大径貫通孔
１８０４，１８０５：小径貫通孔
【図１】
2012054232.tif 000003
【図２】
2012054232.tif 000004
【図３】
2012054232.tif 000005
【図４】
2012054232.tif 000006
【図５】
2012054232.tif 000007
【図６】
2012054232.tif 000008
【図７】
2012054232.tif 000009
【図８】
2012054232.tif 000010
【図９】
2012054232.tif 000011
【図１０】
2012054232.tif 000012
【図１１】
2012054232.tif 000013
【図１２】
2012054232.tif 000014
【図１３】
2012054232.tif 000015
【図１４】
2012054232.tif 000016
【図１５】
2012054232.tif 000017
【図１６】
2012054232.tif 000018
【図１７】
2012054232.tif 000019
【図１８】
2012054232.tif 000020